(57)【要約】【課題】複数の端末間での通信を可能とするとともに、比較的能力の高い端末の利用者と比較的能力の低い端末の利用者とでも十分なコミュニケーションを図ることのできる通信制御方法および装置を提供する。【解決手段】仮想端末制御部１４が仮想的に存在する仮想端末とその能力を設定して仮想端末ＤＢ１５に登録して管理し、対話的な通信を行うデスクトップＰＣ５Ａ、ノート型ＰＣ５Ｂ、ＰＤＡ５Ｃ等の各端末間で授受されるデータを仮想端末の能力で処理できる範囲内に合わせて通信を行わせる【選択図】　　　　図２
2004110567.tif 000002
【特許請求の範囲】
【請求項１】
複数の端末間で対話的に行われるデータの通信を制御する通信制御方法において、
所定の能力を有する仮想の端末を設定し、データ通信に参加する参加端末のそれぞれに前記仮想の端末の能力に合わせたデータ通信を実行させることを特徴とする通信制御方法。
【請求項２】
前記仮想の端末は、
前記参加端末のそれぞれが通信を行うグループ毎に設定されることを特徴とする請求項１記載の通信制御方法。
【請求項３】
前記仮想の端末の能力は、
該能力を示す各項目のそれぞれについて、前記参加端末のそれぞれが有する能力のうち最も低い能力が設定されることを特徴とする請求項１記載の通信制御方法。
【請求項４】
前記仮想の端末の能力は、
該能力を示す各項目のそれぞれについて、前記参加端末のそれぞれが有する能力に重み付けを行い、該重み付けをした能力の平均に基づいて設定されることを特徴とする請求項１記載の通信制御方法。
【請求項５】
前記参加端末が有する能力が前記仮想の端末の能力よりも低い場合には、該参加端末へ送信するデータを該参加端末の能力に合わせたデータに変換することを特徴とする請求項４記載の通信制御方法。
【請求項６】
前記参加端末が前記仮想の端末の能力よりも高い能力を要するデータを送信した場合には、該データの通信を遮断することを特徴とする請求項１記載の通信制御方法。
【請求項７】
複数の端末間で対話的に行われるデータの通信を制御する通信制御装置において、
仮想の端末の能力を管理する端末能力管理手段と、
データ通信に参加する参加端末のそれぞれに前記端末能力管理手段が管理する仮想の端末の能力に合わせたデータ通信を実行させる端末制御手段と
を具備することを特徴とする通信制御装置。
【請求項８】
前記端末能力管理手段は、
前記参加端末のそれぞれが通信を行うグループ毎に前記仮想の端末の能力を決定することを特徴とする請求項７記載の通信制御装置。
【請求項９】
前記端末能力管理手段における仮想の端末の能力の決定方法を保持する方法保持手段をさらに具備し、
前記端末能力管理手段は、
前記方法保持手段が保持する決定方法に基づいて、前記仮想の端末の能力を決定することを特徴とする請求項７記載の通信制御装置。
【請求項１０】
前記端末能力管理手段は、
前記仮想の端末の能力を示す各項目のそれぞれについて、前記参加端末のそれぞれが有する能力のうち最も低い能力に基づいて決定することを特徴とする請求項９記載の通信制御装置。
【請求項１１】
前記端末能力管理手段は、
前記仮想の端末の能力を示す各項目のそれぞれについて、前記参加端末のそれぞれが有する能力に重み付けを行い、該重み付けをした能力の平均に基づいて決定することを特徴とする請求項９記載の通信制御装置。
【請求項１２】
前記端末制御手段は、
前記仮想の端末よりも能力が低い前記参加端末へ送信するデータを該参加端末の能力に合わせたデータに変換することを特徴とする請求項１１記載の通信制御装置。
【請求項１３】
前記端末制御手段は、
前記仮想の端末の能力よりも高い能力を要するデータの通信を遮断することを特徴とする請求項７記載の通信制御装置。
【発明の詳細な説明】
【０００１】
【発明の属する技術分野】
この発明は、通信制御方法および装置に関し、特に、能力の異なる端末間の通信を制御する通信制御方法および装置に関する。
【０００２】
【従来の技術】
近年、ＰＣ（Ｐｅｒｓｏｎａｌ　Ｃｏｍｐｕｔｅｒ）やＰＤＡ（Ｐｅｒｓｏｎａｌ　Ｄｉｇｉｔａｌ　Ａｓｓｉｓｔａｎｃｅ）、携帯電話等の複数種類の端末をネットワークを介して接続し、各端末間でデータ通信等の各種通信が行われる機会が増大している。
【０００３】
複数種類の端末間で通信を行う場合、表示能力の相違やネットワーク環境の違いによる通信能力の相違等、各端末間でその能力が相違することが多かった。
【０００４】
このため、能力の異なる端末間で通信を行う場合には、その能力に応じて画像や音声等の表現形式を変換して通信を行っており、このような技術には、端末やインフラの属性を用いて、データ等をその端末に適した形式に変換して送信することで、各端末がその能力に応じて最大限の情報を得られるようにしているものがある（例えば、特許文献１参照）。
【０００５】
【特許文献１】
特開平１０−３２６２３１号公報
【０００６】
【発明が解決しようとする課題】
しかしながら、表示能力や接続されているネットワークの通信能力が異なる複数の端末を用いて会議等のコミュニケーションを行なう場合、表現能力や通信能力が比較的高い端末を用いている参加者は、表現能力や通信能力が比較的低い端末を用いて参加している参加者のことを意識できず、高い能力を使ってコミュニケーションを図ろうとする。この場合、表現能力や通信能力が比較的低い端末でも、上述した技術によってコミュニケーションを図ることは可能であるが、授受する情報量が低下することは免れない。
【０００７】
その結果、比較的能力の高い端末を利用している参加者の間では緊密なコミュニケーションを確立できるが、比較的能力の低い端末を利用している参加者には十分な情報が伝わらないという弊害が生じる場合があった。
【０００８】
そこで、この発明は、複数の端末間での通信を可能とするとともに、比較的能力の高い端末の利用者と比較的能力の低い端末の利用者とでも十分なコミュニケーションを図ることのできる通信制御方法および装置を提供することを目的とする。
【０００９】
【課題を解決するための手段】
上述した目的を達成するため、請求項１の発明は、複数の端末間で対話的に行われるデータの通信を制御する通信制御方法において、所定の能力を有する仮想の端末を設定し、データ通信に参加する参加端末のそれぞれに前記仮想の端末の能力に合わせたデータ通信を実行させることを特徴とする。
【００１０】
また、請求項２の発明は、請求項１の発明において、前記仮想の端末は、前記参加端末のそれぞれが通信を行うグループ毎に設定されることを特徴とする。
【００１１】
また、請求項３の発明は、請求項１の発明において、前記仮想の端末の能力は、該能力を示す各項目のそれぞれについて、前記参加端末のそれぞれが有する能力のうち最も低い能力が設定されることを特徴とする。
【００１２】
また、請求項４の発明は、請求項１の発明において、前記仮想の端末の能力は、該能力を示す各項目のそれぞれについて、前記参加端末のそれぞれが有する能力に重み付けを行い、該重み付けをした能力の平均に基づいて設定されることを特徴とする。
【００１３】
また、請求項５の発明は、請求項４の発明において、前記参加端末が有する能力が前記仮想の端末の能力よりも低い場合には、該参加端末へ送信するデータを該参加端末の能力に合わせたデータに変換することを特徴とする。
【００１４】
また、請求項６の発明は、請求項１の発明において、前記参加端末が前記仮想の端末の能力よりも高い能力を要するデータを送信した場合には、該データの通信を遮断することを特徴とする。
【００１５】
また、請求項７の発明は、複数の端末間で対話的に行われるデータの通信を制御する通信制御装置において、仮想の端末の能力を管理する端末能力管理手段と、データ通信に参加する参加端末のそれぞれに前記端末能力管理手段が管理する仮想の端末の能力に合わせたデータ通信を実行させる端末制御手段とを具備することを特徴とする。
【００１６】
また、請求項８の発明は、請求項７の発明において、前記端末能力管理手段は、前記参加端末のそれぞれが通信を行うグループ毎に前記仮想の端末の能力を決定することを特徴とする。
【００１７】
また、請求項９の発明は、請求項７の発明において、前記端末能力管理手段における仮想の端末の能力の決定方法を保持する方法保持手段をさらに具備し、前記端末能力管理手段は、前記方法保持手段が保持する決定方法に基づいて、前記仮想の端末の能力を決定することを特徴とする。
【００１８】
また、請求項１０の発明は、請求項９の発明において、前記端末能力管理手段は、前記仮想の端末の能力を示す各項目のそれぞれについて、前記参加端末のそれぞれが有する能力のうち最も低い能力に基づいて決定することを特徴とする。
【００１９】
また、請求項１１の発明は、請求項９の発明において、前記端末能力管理手段は、前記仮想の端末の能力を示す各項目のそれぞれについて、前記参加端末のそれぞれが有する能力に重み付けを行い、該重み付けをした能力の平均に基づいて決定することを特徴とする。
【００２０】
また、請求項１２の発明は、請求項１１の発明において、前記端末制御手段は、前記仮想の端末よりも能力が低い前記参加端末へ送信するデータを該参加端末の能力に合わせたデータに変換することを特徴とする。
【００２１】
また、請求項１３の発明は、請求項７の発明において、前記端末制御手段は、前記仮想の端末の能力よりも高い能力を要するデータの通信を遮断することを特徴とする。
【００２２】
【発明の実施の形態】
以下、この発明に係る通信制御方法および装置の一実施の形態について、添付図面を参照して詳細に説明する。
【００２３】
図１は、この発明に係る通信制御装置を適用した通信システムの構成例を示した図である。
【００２４】
同図に示す通信システムでは、通信制御装置１は、ネットワーク２に接続される。ネットワーク２には、他のネットワークやインターネット等と接続されているＧＷ（ゲートウェイ）３やモデム等を介して電話回線と接続されるＡＰ（アクセスポイント）４、端末５等が接続されている。また、端末５は、ＧＷ３やＡＰ４を介しても接続される。
【００２５】
この構成においては、各端末５が通信制御装置１に接続を行い、通信制御装置１を介して、各端末５間で相互に通信を行う。
【００２６】
ここで、通信制御装置１の構成について説明する。図２は、通信制御装置１の機能的な構成を示すブロック図である。なお、通信制御装置１は、コンピュータ装置とこれを動作させるプログラムにより構成される。
【００２７】
同図に示すように、通信制御装置１は、管理ＧＵＩ制御部１１と端末属性管理部１２、端末属性ＤＢ１３、仮想端末制御部１４、仮想端末ＤＢ１５、ポリシー管理部１６、ポリシーＤＢ１７、対話処理制御部１８を具備して構成される。なお、通信制御装置１は、必ずしも１台のコンピュータ装置で構成する必要はなく、必要に応じて各部を複数のコンピュータ装置に分散して構成してもよい。
【００２８】
管理ＧＵＩ制御部１１は、通信制御装置１の管理者が、端末属性管理部１２、仮想端末制御部１４、ポリシー管理部１６の各部に対して設定を行う際に利用するＧＵＩ（Ｇｒａｐｈｉｃａｌ　Ｕｓｅｒ　Ｉｎｔｅｒｆａｃｅ）を管理し、必要に応じて図示しないディスプレイ等の表示部にＧＵＩを表示し、管理者から入力された設定を端末属性管理部１２、仮想端末制御部１４、ポリシー管理部１６の各部に通知する。
【００２９】
端末属性管理部１２は、各端末５の表示能力や通信能力等の能力を管理する。各端末５の能力に関する情報は、端末属性ＤＢ（データベース）１３に登録されており、端末属性管理部１２は、仮想端末制御部１４から指定された端末５の能力に関する情報を端末属性ＤＢ１３から検索し、その結果を仮想端末制御部１４に返す。また、端末属性管理部１２は、管理ＧＵＩ制御部１１または仮想端末制御部１４の指示により端末属性ＤＢ１３に新たな端末５の情報を追加したり、すでに登録されている端末５の情報を修正、または削除する。
【００３０】
仮想端末制御部１４は、一連の対話に参加する端末５、例えばデスクトップＰＣ５Ａやノート型ＰＣ５Ｂ、ＰＤＡ５Ｃをグループに分類し、グループ毎に仮想的な端末である仮想端末を構成し、管理する。仮想端末を構成する際には、仮想端末制御部１４は、管理ＧＵＩ制御部１１や各端末５からの指示、ポリシー管理部１６から得られるポリシーに基づいて、端末５のグループ分け、仮想端末の生成とその能力の設定を行い、その結果を仮想端末ＤＢ（データベース）１５に登録する。また、対話処理制御部１８から各端末５に対して送信される対話内容や各端末５から送信される対話内容を仮想端末ＤＢ１５に登録された仮想端末の能力に応じて、入力元の端末５の入力能力の変更、送信内容の取捨選択、変換を行う。
【００３１】
ポリシー管理部１６は、仮想端末制御部１４が仮想端末の構成や能力を決定する際のポリシーを管理する。仮想端末を構成する方法のポリシーとしては、例えば、
・対話に参加するすべての端末を同一の仮想端末に割り付ける
・管理者が予め定めたグループに分けてグループ毎に仮想端末を構成する
・各端末からの指示によりグループ分けを変更し、そのグループ毎に仮想端末を構成する
等を定義する。
【００３２】
また、仮想端末の能力を決定する方法のポリシーとしては、例えば、
・同一のグループに属する端末の中で最も能力が低い端末の能力に合わせる
・各端末に自動、または管理者の指示により重みをつけ、その重みと各端末の能力とから換算して仮想端末の能力を決定する
・各端末からの指示によりその端末の重みを設定し、その重みと各端末の能力とから換算して仮想端末の能力を決定する
等を定義する。
【００３３】
対話処理制御部１８は、各端末５から送信された対話内容等のデータを指定された各端末５、例えば、同グループに属する端末５のそれぞれに送信することで、各端末５間での対話を実現する。
【００３４】
次に、端末属性ＤＢ１３、仮想端末ＤＢ１５、ポリシーＤＢ１７の各データベースに登録される情報の詳細について説明する。
【００３５】
図３は、端末属性管理部１２により管理される端末属性ＤＢ１３の登録内容を示した図である。同図に示すように、端末属性ＤＢ１３には、端末５のそれぞれについて、端末ＩＤ、端末形式、表示エリア、表示可能メディア、音声、通信速度が登録される。
【００３６】
端末ＩＤは、端末５のそれぞれを識別するための番号や符号であり、端末５の登録時にそれぞれ割り付けられる。端末型式は、各端末５の種類を示すもので、端末属性管理部１２は、この端末型式毎に表示エリア等の値を別途管理し、新たな端末５を追加する際に、その値をデフォルト値として利用することができる。表示エリアは、端末５で表示可能な領域の大きさを示す。画面の構成、画像の縮小等に用いられる。
【００３７】
表示可能メディアは、表示に使用できるメディア（データの形式）を示す。仮想端末管理部１４が仮想端末を構成する際に仮想端末の表現能力を決定するためおよび各端末へとの間での表現形式の変換を行うために用いられる。音声は、仮想端末制御部１４が音声の送受信が可能であるかどうかを確認するために用いられる。通信速度は、端末５が接続されているネットワークの通信速度を示す。通信速度に応じて画像の圧縮、動画のフレームレートの削減等の処理を行うために用いられる。
【００３８】
なお、端末属性ＤＢ１３への端末５の登録は、予め管理者によって行うが、端末５の接続時に端末５の利用者が行うようにしてもよい。これは、端末５がノート型ＰＣのように携帯が可能なものである場合、その都度、通信環境が変化する可能性があり（例えば、ＬＡＮ接続とダイヤルアップ接続等）、予め登録している情報が現状に合わない場合があるからである。
【００３９】
図４は、仮想端末制御部１４により管理される仮想端末ＤＢ１５の登録内容を示した図である。同図に示すように、仮想端末ＤＢ１５には、仮想端末ＩＤ、参加端末ＩＤ、表示エリア、表示可能メディア、音声、通信速度が登録される。
【００４０】
仮想端末ＩＤは、個々の仮想端末を識別するために割り付けられる番号や符号であり、ひとつの仮想端末は、予め定められた特定の能力を保持する端末として扱われる。参加端末ＩＤは、ひとつの仮想端末でまとめられる端末５の各端末ＩＤが列挙される。ここに列挙されている端末５は、すべて仮想端末の表示能力、通信能力を保持しているものとみなされる。仮想端末の能力と実際の端末の能力の間にギャップがある場合には、そのギャップを埋めるために変換が行われるが、この変換は、上述の特許文献１等に示されているような既存の技術で実行可能である。
【００４１】
表示エリア、表示可能メディア、音声、通信速度は、端末属性ＤＢ１３に登録されるものと同じであり、それぞれ仮想端末の能力を示すものである。
【００４２】
なお、仮想端末ＤＢ１５に登録される各項目の値は、ポリシー管理部１６が管理するポリシーに従って、逐次変更が可能である。
【００４３】
図５および図６は、ポリシー管理部１６により管理されるポリシーＤＢ１７の登録内容を示した図である。同図に示すように、ポリシーＤＢ１７には、対話セッションに対して仮想端末を構成する際に用いられるポリシーを登録する部分（図５参照）と、仮想端末毎にその能力を決定するために用いられるポリシーを登録する部分（図６参照）の二つの部分から構成される。なお、ここに示したポリシーは一例であり、任意のポリシーを設定することが可能である。
【００４４】
次に、通信制御装置１の動作を説明するが、最初に、仮想端末制御部１４が管理する仮想端末の構成を決定する処理について説明する。図７は、仮想端末構成の決定処理の流れを示すフローチャートである。
【００４５】
仮想端末の決定処理では、まず、管理ＧＵＩ制御部１１が表示したＧＵＩに、管理者が所望のセッションＩＤを入力し、仮想端末制御部１４がこれを受け付けることで開始される（ステップ１０１）。仮想端末制御部１４は、セッションＩＤを受け付けると、ポリシー管理部１６から当該セッションＩＤに対応する仮想端末構成用のポリシーを取得する（ステップ１０２）。なお、ここでは、説明の簡略化のため、取得したポリシーは、図５に示したものと同様のものとする。
【００４６】
さて、取得したポリシーが「一括」であった場合には（ステップ１０３でＹＥＳ）、仮想端末制御部１４は、仮想端末エントリを作成する（ステップ１０４）。この仮想端末エントリの作成では、一意となる仮想端末ＩＤを割り付ける。続いて、仮想端末制御部１４は、管理ＧＵＩ制御部１１を介して入力される管理者が指定する端末の端末ＩＤを端末属性管理部１２から取得し、参加端末を設定する（ステップ１０５）。そして、仮想端末の能力を設定する処理を行う（ステップ１０６）。なお、仮想端末の能力を設定する処理の詳細については、後述する。
【００４７】
一方、仮想端末制御部１４がポリシー管理部１６から取得した仮想端末構成用のポリシーが「管理者指定」であった場合には（ステップ１０３でＮＯ）、仮想端末エントリの作成や参加端末の設定を管理ＧＵＩ１１を介して管理者に設定させ（ステップ１０７）、その設定が終了した後に、仮想端末の能力を設定する処理を行う（ステップ１０６）。
【００４８】
次に、仮想端末制御部１４が実行する仮想端末の能力の設定処理について説明する。図８は、仮想端末能力の設定処理の流れを示すフローチャートである。
【００４９】
仮想端末能力の設定処理では、まず、仮想端末制御部１４が、設定を行う仮想端末の仮想端末ＩＤに基づいて、ポリシー管理部１６から仮想端末能力の設定用のポリシーを取得する（ステップ２０１）。そして、取得したポリシーが「最小能力」であれば（ステップ２０２でＹＥＳ）、最小能力を算出し（ステップ２０３）、算出結果を仮想端末の能力として設定し、仮想端末ＤＢ１５に登録する（ステップ２０４）。
【００５０】
最小能力の算出では、当該仮想端末の参加端末の各能力について、最小の値を用いて仮想端末の能力とする。まった、表示可能メディアとしては、すべての端末が共通に扱えるもののみを表示可能として設定する。
【００５１】
一方、ポリシー管理部１６から取得した仮想端末能力の設定用のポリシーが「重み付け」であった場合には（ステップ２０２でＮＯ）、重み付けによる能力の算出を行い（ステップ２０５）、算出結果を仮想端末の能力として設定し、仮想端末ＤＢ１５に登録する（ステップ２０４）。
【００５２】
重み付けによる能力の算出では、各端末の能力と端末毎に設定されている重みを勘案して仮想端末の能力とする。たとえば、表示エリアの大きさや通信速度のように数値として表される能力は、その数値に重みをかけたものの平均値をもって仮想端末の能力とし、表示可能メディアのように数値で表現できない能力については、例えば、その能力を有している場合を１、有していない場合を０で表し、その値に重みをかけ、その平均が０．５を上回っているものは仮想端末でも表示可能であるとみなすようにする。
【００５３】
次に、通信制御装置１に接続された各端末５間で通信を行う際の通信制御装置１の動作を説明する。図９は、端末間で通信を行う際の通信制御装置１の動作の流れを示すフローチャートである。
【００５４】
端末５間で通信を行う際には、まず、仮想端末制御部１４が、発信元の端末５から出力先の仮想端末の仮想端末ＩＤを取得して、仮想端末ＤＢ１５から出力先の仮想端末を検索する（ステップ３０１）。そして、その検索結果に基づいて、仮想端末制御部１４は、仮想端末ＤＢ１５から該当する仮想端末の能力を取得する（ステップ３０２）。
【００５５】
仮想端末の能力を取得すると、仮想端末制御部１４は、入力元となる端末５の設定を変更し（ステップ３０３）、その端末５からの送信内容を取得する（ステップ３０４）。そして、必要に応じて送信内容を変換し（ステップ３０５）、その送信内容を対話処理制御部１８を介して仮想端末の参加端末に送信し（ステップ３０６）、仮想端末の制御としての処理を終了する。なお、この後も各端末５間での通信は継続することがある。
【００５６】
続いて、図９を参照して説明した端末間で通信を行う際の処理を具体的に説明する。例えば、動画を使った対話が可能な端末から動画を表示できない端末に対して発信を行う場合、仮想端末の能力を取得する処理（ステップ３０２）により動画を利用した対話ができないことがわかるため、発信元端末設定変更の処理（ステップ３０３）により、動画を利用した通信を一時的に中断する。この処理により、発信元の端末の利用者は相手に動画が伝わっていないことが理解でき、音声を用いて情報を発信すべきであることが意識できるようになる。
【００５７】
また、出力先の仮想端末が音声を入出力できない端末である場合には、発信元の端末からの音声入力を遮断するとともに、この対話にかかわっている他の端末からの音声を少なくとも発信元の端末に送信しないようにする。これにより発信もとの端末の利用者は、対話に音声が使用できないことを容易に理解できるようになる。
【００５８】
【発明の効果】
以上説明したように、この発明によれば、仮想的に存在する仮想端末とその能力を設定して管理し、対話的な通信を行う各端末間で授受されるデータを仮想端末の能力で処理できる範囲内に合わせて通信を行わせるように構成したので、比較的高い能力を有する端末の利用者が、比較的低い能力を有する端末に合わせたデータを容易に送信することができ、端末の能力の相違によるコミュニケーションの低下を防止することが可能となる。
【図面の簡単な説明】
【図１】この発明に係る通信制御装置を適用した通信システムの構成例を示した図である。
【図２】通信制御装置１の機能的な構成を示すブロック図である。
【図３】端末属性管理部１２により管理される端末属性ＤＢ１３の登録内容を示した図である。
【図４】仮想端末制御部１４により管理される仮想端末ＤＢ１５の登録内容を示した図である。
【図５】ポリシー管理部１６により管理されるポリシーＤＢ１７の登録内容を示した図（１）である。
【図６】ポリシー管理部１６により管理されるポリシーＤＢ１７の登録内容を示した図（２）である。
【図７】仮想端末構成の決定処理の流れを示すフローチャートである。
【図８】仮想端末能力の設定処理の流れを示すフローチャートである。
【図９】端末間で通信を行う際の通信制御装置１の動作の流れを示すフローチャートである。
【符号の説明】
１　　通信制御装置
２　　ネットワーク
３　　ＧＷ
４　　ＡＰ
５　　端末
５Ａ　　デスクトップＰＣ
５Ｂ　　ノート型ＰＣ
５Ｃ　　ＰＤＡ
１１　　管理ＧＵＩ制御部
１２　　端末属性管理部
１３　　端末属性ＤＢ
１４　　仮想端末制御部
１５　　仮想端末ＤＢ
１６　　ポリシー管理部
１７　　ポリシーＤＢ
１８　　対話処理制御部
【図１】
2004110567.tif 000003
【図２】
2004110567.tif 000004
【図３】
2004110567.tif 000005
【図４】
2004110567.tif 000006
【図５】
2004110567.tif 000007
【図６】
2004110567.tif 000008
【図７】
2004110567.tif 000009
【図８】
2004110567.tif 000010
【図９】
2004110567.tif 000011